【手続補正書】
【提出日】平成26年7月4日(2014.7.4)
【手続補正１】
【補正対象書類名】特許請求の範囲
【補正対象項目名】請求項８
【補正方法】変更
【補正の内容】
【請求項８】
前記測色値データ群は、前記カラーチャート内の各カラーパッチの印刷指令に用いたパッチ毎の入力値と当該入力値に基づいて印刷されたカラーパッチの測色値との対応関係をまとめたデータ群である請求項１から７のいずれか１項に記載のプロファイル生成装置。
【手続補正２】
【補正対象書類名】特許請求の範囲
【補正対象項目名】請求項９
【補正方法】変更
【補正の内容】
【請求項９】
外部から与えられる入力画像データを印刷用のＣＭＹＫ色空間のデータに変換するための色変換写像を規定するカラープロファイルを生成するプロファイル生成方法であって、
媒体上に印刷されたカラーチャート内の複数のカラーパッチを測色して得られる測色値データ群を記憶しておく測色値データ群格納工程と、
印刷装置で印刷しようとする画像内容を示す画像データを取り込む画像データ取得工程と、
前記画像データを構成する画素のデバイス非依存色空間における値と前記測色値データ群に含まれる前記カラーパッチに対応するデバイス非依存色空間における値との類似度を解析し、第１の基準で示される類似の程度と同等以上の高い類似性を示すカラーパッチの集合を求める第１の類似度解析工程と、
前記画像データを構成する画素のデバイス非依存色空間における値に応じて前記ＣＭＹＫ色空間のＫ値を規定するＫ値設定データを記憶しておくＫ値設定データ格納工程と、
前記Ｋ値設定データに基づき、前記画像データを構成する画素のデバイス非依存色空間における値に対応するＫ値を決定するＫ値決定工程と、
前記Ｋ値決定工程により決定したＫ値と前記カラーパッチに対応するＫ値との類似度を解析し、第２の基準で示される類似の程度と同等以上の高い類似性を示すカラーパッチの集合を求める第２の類似度解析工程と、
前記第１の類似度解析工程による第１の解析結果と前記第２の類似度解析工程による第２の解析結果とに基づいて前記複数のカラーパッチの中から一部のカラーパッチを抽出するカラーパッチ抽出処理工程と、
前記測色値データ群のうちの前記カラーパッチ抽出処理工程によって抽出されたカラーパッチの測色値を示す被抽出測色値データ群に基づいて前記カラープロファイルを作成する色変換写像作成工程と、
を含むプロファイル生成方法。
【手続補正３】
【補正対象書類名】特許請求の範囲
【補正対象項目名】請求項１２
【補正方法】変更
【補正の内容】
【請求項１２】
外部から与えられる入力画像データを印刷用のＣＭＹＫ色空間のデータに変換する処理を行う画像処理装置であって、
媒体上に印刷されたカラーチャート内の複数のカラーパッチを測色して得られる測色値データ群を記憶しておく測色値データ群格納手段と、
印刷装置によって印刷しようとする画像内容を示す画像データを取り込む画像データ取得手段と、
前記画像データを構成する画素のデバイス非依存色空間における値と前記測色値データ群に含まれる前記カラーパッチに対応するデバイス非依存色空間における値との類似度を解析し、第１の基準で示される類似の程度と同等以上の高い類似性を示すカラーパッチの集合を求める第１の類似度解析手段と、
前記画像データを構成する画素のデバイス非依存色空間における値に応じて前記ＣＭＹＫ色空間のＫ値を規定するＫ値設定データを記憶しておくＫ値設定データ格納手段と、
前記Ｋ値設定データに基づき、前記画像データを構成する画素のデバイス非依存色空間における値に対応するＫ値を決定するＫ値決定手段と、
前記Ｋ値決定手段により決定したＫ値と前記カラーパッチに対応するＫ値との類似度を解析し、第２の基準で示される類似の程度と同等以上の高い類似性を示すカラーパッチの集合を求める第２の類似度解析手段と、
前記第１の類似度解析手段による第１の解析結果と前記第２の類似度解析手段による第２の解析結果とに基づいて前記複数のカラーパッチの中から一部のカラーパッチを抽出するカラーパッチ抽出処理手段と、
前記測色値データ群のうちの前記カラーパッチ抽出処理手段によって抽出されたカラーパッチの測色値を示す被抽出測色値データ群に基づいてカラープロファイルを作成する色変換写像作成手段と、
前記色変換写像作成手段によって作成されたカラープロファイルと前記Ｋ値設定データとを用いて入力画像データを印刷用の色空間のデータに変換する色変換処理を行う色変換処理手段と、
を備える画像処理装置。
【手続補正４】
【補正対象書類名】特許請求の範囲
【補正対象項目名】請求項１４
【補正方法】変更
【補正の内容】
【請求項１４】
外部から与えられる入力画像データを印刷用のＣＭＹＫ色空間のデータに変換する処理を行う画像処理方法であって、
媒体上に印刷されたカラーチャート内の複数のカラーパッチを測色して得られる測色値データ群を記憶しておく測色値データ群格納工程と、
印刷装置で印刷しようとする画像内容を示す画像データを取り込む画像データ取得工程と、
前記画像データを構成する画素のデバイス非依存色空間における値と前記測色値データ群に含まれる前記カラーパッチに対応するデバイス非依存色空間における値との類似度を解析し、第１の基準で示される類似の程度と同等以上の高い類似性を示すカラーパッチの集合を求める第１の類似度解析工程と、
前記画像データを構成する画素のデバイス非依存色空間における値に応じて前記ＣＭＹＫ色空間のＫ値を規定するＫ値設定データを記憶しておくＫ値設定データ格納工程と、
前記Ｋ値設定データに基づき、前記画像データを構成する画素のデバイス非依存色空間における値に対応するＫ値を決定するＫ値決定工程と、
前記Ｋ値決定工程により決定したＫ値と前記カラーパッチに対応するＫ値との類似度を解析し、第２の基準で示される類似の程度と同等以上の高い類似性を示すカラーパッチの集合を求める第２の類似度解析工程と、
前記第１の類似度解析工程による第１の解析結果と前記第２の類似度解析工程による第２の解析結果とに基づいて前記複数のカラーパッチの中から一部のカラーパッチを抽出するカラーパッチ抽出処理工程と、
前記測色値データ群のうちの前記カラーパッチ抽出処理工程によって抽出されたカラーパッチの測色値を示す被抽出測色値データ群に基づいてカラープロファイルを作成する色変換写像作成工程と、
前記色変換写像作成工程によって作成されたカラープロファイルと前記Ｋ値設定データとを用いて入力画像データを印刷用の色空間のデータに変換する色変換処理を行う色変換処理工程と、
を含む画像処理方法。
【手続補正５】
【補正対象書類名】特許請求の範囲
【補正対象項目名】請求項１５
【補正方法】変更
【補正の内容】
【請求項１５】
外部から与えられる入力画像データを印刷用のＣＭＹＫ色空間のデータに変換する処理を行う画像処理プログラムであって、
コンピュータを、
媒体上に印刷されたカラーチャート内の複数のカラーパッチを測色して得られる測色値データ群を記憶しておく測色値データ群格納手段と、
印刷装置によって印刷しようとする画像内容を示す画像データを取り込む画像データ取得手段と、
前記画像データを構成する画素のデバイス非依存色空間における値と前記測色値データ群に含まれる前記カラーパッチに対応するデバイス非依存色空間における値との類似度を解析し、第１の基準で示される類似の程度と同等以上の高い類似性を示すカラーパッチの集合を求める第１の類似度解析手段と、
前記画像データを構成する画素のデバイス非依存色空間における値に応じて前記ＣＭＹＫ色空間のＫ値を規定するＫ値設定データを記憶しておくＫ値設定データ格納手段と、
前記Ｋ値設定データに基づき、前記画像データを構成する画素のデバイス非依存色空間における値に対応するＫ値を決定するＫ値決定手段と、
前記Ｋ値決定手段により決定したＫ値と前記カラーパッチに対応するＫ値との類似度を解析し、第２の基準で示される類似の程度と同等以上の高い類似性を示すカラーパッチの集合を求める第２の類似度解析手段と、
前記第１の類似度解析手段による第１の解析結果と前記第２の類似度解析手段による第２の解析結果とに基づいて前記複数のカラーパッチの中から一部のカラーパッチを抽出するカラーパッチ抽出処理手段と、
前記測色値データ群のうちの前記カラーパッチ抽出処理手段によって抽出されたカラーパッチの測色値を示す被抽出測色値データ群に基づいてカラープロファイルを作成する色変換写像作成手段と、
前記色変換写像作成手段によって作成されたカラープロファイルと前記Ｋ値設定データとを用いて入力画像データを印刷用の色空間のデータに変換する色変換処理を行う色変換処理手段、として機能させるためのプログラム。
【手続補正６】
【補正対象書類名】特許請求の範囲
【補正対象項目名】請求項１８
【補正方法】変更
【補正の内容】
【請求項１８】
前記カラーチャート定義データにしたがって印刷されたカラーチャート上のカラーパッ
チを測色する測色手段を備え、
前記測色手段による測色結果に基づいて前記測色値データ群が生成される請求項１７に記載の印刷システム。
【手続補正７】
【補正対象書類名】明細書
【補正対象項目名】０１２３
【補正方法】変更
【補正の内容】
【０１２３】
（第８態様）：第１態様から第７態様のいずれか１項に記載のプロファイル生成装置において、測色値データ群は、カラーチャート内の各カラーパッチの印刷指令に用いたパッチ毎の入力値と当該入力値に基づいて印刷されたカラーパッチの測色値との対応関係をまとめたデータ群とすることができる。
【手続補正８】
【補正対象書類名】明細書
【補正対象項目名】０１３９
【補正方法】変更
【補正の内容】
【０１３９】
（第１８態様）：第１７態様に記載の印刷システムにおいて、カラーチャート定義データにしたがって印刷されたカラーチャート上のカラーパッチを測色する測色手段を備え、測色手段による測色結果に基づいて測色値データ群が生成される構成とすることができる。